(57)【要約】      （修正有）【課題】複数の担架を簡単に用意できる椅子を提供すること。【解決手段】ｎ本の第１軸Ａ１，Ａ２，…，Ａｎと、ｎ本の第２軸Ｂ１，Ｂ２，…，Ｂｎと、第１軸Ａｋと第２軸Ｂｋとの間に架け渡されたシートＣｋと、第１軸Ａ１，Ａ２，…，Ａｎおよび第２軸Ｂ１，Ｂ２，…，Ｂｎの左端部が、各々、着脱可能に取り付けられる２ｎ個の取付部を有する左側枠部と、第１軸Ａ１，Ａ２，…，Ａｎおよび第２軸Ｂ１，Ｂ２，…，Ｂｎの右端部が、各々、着脱可能に取り付けられる２ｎ個の取付部を有する右側枠部とを具備してなり、第１軸Ａ１，Ａ２，…，Ａｎおよび第２軸Ｂ１，Ｂ２，…，Ｂｎの左端部が左側枠部に取り付けられ、第１軸Ａ１，Ａ２，…，Ａｎおよび第２軸Ｂ１，Ｂ２，…，Ｂｎの右端部が右側枠部に取り付けられて構成されてなる椅子。【選択図】図１
2015033486.tif 000002
【特許請求の範囲】
【請求項１】
ｎ（ｎは３以上の整数）本の第１軸Ａ１，Ａ２，…，Ａｎと、
ｎ（ｎは３以上の整数）本の第２軸Ｂ１，Ｂ２，…，Ｂｎと、
前記第１軸Ａｋ（ｋは１〜ｎ）と前記第２軸Ｂｋ（ｋは１〜ｎ）との間に架け渡されたシートＣｋ（ｋは１〜ｎ）と、
前記第１軸Ａ１，Ａ２，…，Ａｎおよび前記第２軸Ｂ１，Ｂ２，…，Ｂｎの左端部が、各々、着脱可能に取り付けられる２ｎ個の取付部を有する左側枠部と、
前記第１軸Ａ１，Ａ２，…，Ａｎおよび前記第２軸Ｂ１，Ｂ２，…，Ｂｎの右端部が、各々、着脱可能に取り付けられる２ｎ個の取付部を有する右側枠部
とを具備してなり、
前記第１軸Ａ１，Ａ２，…，Ａｎおよび前記第２軸Ｂ１，Ｂ２，…，Ｂｎの左端部が前記左側枠部に取り付けられ、前記第１軸Ａ１，Ａ２，…，Ａｎおよび前記第２軸Ｂ１，Ｂ２，…，Ｂｎの右端部が前記右側枠部に取り付けられて構成されてなる
ことを特徴とする椅子。
【請求項２】
前記第１軸Ａｋと前記第２軸Ｂｋとの間に架け渡されたシートＣｋは、前記第１軸Ａｋおよび前記第２軸Ｂｋが前記椅子に装着されている時には、前記第１軸Ａｋおよび／または前記第２軸Ｂｋに巻かれている
ことを特徴とする請求項１の椅子。
【請求項３】
前記第１軸Ａｋと前記第２軸Ｂｋとの間に架け渡されたシートＣｋは、記第１軸Ａｋおよび前記第２軸Ｂｋが前記椅子から取り外されている時には、巻き解かれる
ことを特徴とする請求項１又は請求項２の椅子。
【請求項４】
前記第１軸および前記第２軸の端部には螺子溝が設けられてなり、
前記左側枠部には前記第１軸および前記第２軸の左端部が挿入される孔が形成されてなり、
前記右側枠部には前記第１軸および前記第２軸の右端部が挿入される孔が形成されてなり、
前記孔に前記第１軸および前記第２軸の端部が、各々、挿入され、
前記挿入された前記第１軸および前記第２軸の螺子溝に螺子が螺着され、前記第１軸および前記第２軸が前記左側枠部および前記右側枠部に取り付けられてなる
ことを特徴とする請求項１〜請求項３いずれかの椅子。
【請求項５】
前記第１軸および前記第２軸はパイプである
ことを特徴とする請求項１〜請求項４いずれかの椅子。
【発明の詳細な説明】
【技術分野】
【０００１】
本発明は椅子に関する。
【背景技術】
【０００２】
椅子は人が座る際に使う道具（家具）である。腰掛けとも謂われる。椅子は、天然木、合板、パーティクルボード、竹、籐、ステンレス鋼、アルミニウム、天然石、陶磁器などで作製されている。
【０００３】
ところで、平常時には，快適な長椅子として使用でき、緊急時には、２台の担架として使用できる機能を備えた担架兼用長椅子が提案（特許第４９２３３０７号）されている。すなわち、地震・火災・人命救助等の緊急使用時に担架として使用できる背もたれ部、及び、地震・火災・人命救助等の緊急使用時に担架として使用できる座面部とを長椅子本体に対して着脱可能とした担架兼用長椅子が提案されている。前記担架兼用長椅子が説明される。図５において、２１は担架兼用長椅子である。２２，２３は袖部である。２４は背もたれ部、２５は座面部である。背もたれ部２４及び座面部２５は、同一形状に形成され、担架兼用長椅子２１から分解した場合に、担架として機能する。背もたれ部２４及び座面部２５を２台の担架として機能させる為、背もたれ部２４の両端及び座面部２５の両端には、一対の担架握り手部が設けられている。
【先行技術文献】
【特許文献】
【０００４】
【特許文献１】特許第４９２３３０７号
【発明の概要】
【発明が解決しようとする課題】
【０００５】
さて、前記特許文献１の担架兼用長椅子は、地震・火災・人命救助等の緊急使用時に、担架として使用できる。
【０００６】
しかし、前記担架兼用長椅子一脚から提供される担架は２台に過ぎない。地震などの防災時に必要な担架は非常に多い。一台や二台では済まない。多数の担架が必要ならば、それに応じて、前記担架兼用長椅子を、Ｎ脚、用意しておけば済むかも知れない。とは言うものの、前記担架兼用長椅子は場所を取る。前記担架兼用長椅子を、一定の場所に、数多く、設置すると言うのは、非現実的である。
【０００７】
従って、本発明が解決しようとする課題は、複数の担架を簡単に用意できる椅子を提供することである。
【課題を解決するための手段】
【０００８】
本発明は、
ｎ（ｎは３以上の整数）本の第１軸Ａ１，Ａ２，…，Ａｎと、
ｎ（ｎは３以上の整数）本の第２軸Ｂ１，Ｂ２，…，Ｂｎと、
前記第１軸Ａｋ（ｋは１〜ｎ）と前記第２軸Ｂｋ（ｋは１〜ｎ）との間に架け渡されたシートＣｋ（ｋは１〜ｎ）と、
前記第１軸Ａ１，Ａ２，…，Ａｎおよび前記第２軸Ｂ１，Ｂ２，…，Ｂｎの左端部が、各々、着脱可能に取り付けられる２ｎ個の取付部を有する左側枠部と、
前記第１軸Ａ１，Ａ２，…，Ａｎおよび前記第２軸Ｂ１，Ｂ２，…，Ｂｎの右端部が、各々、着脱可能に取り付けられる２ｎ個の取付部を有する右側枠部
とを具備してなり、
前記第１軸Ａ１，Ａ２，…，Ａｎおよび前記第２軸Ｂ１，Ｂ２，…，Ｂｎの左端部が前記左側枠部に取り付けられ、前記第１軸Ａ１，Ａ２，…，Ａｎおよび前記第２軸Ｂ１，Ｂ２，…，Ｂｎの右端部が前記右側枠部に取り付けられて構成されてなる
ことを特徴とする椅子を提案する。
【０００９】
本発明は、前記椅子であって、前記第１軸Ａｋと前記第２軸Ｂｋとの間に架け渡されたシートＣｋは、前記第１軸Ａｋおよび前記第２軸Ｂｋが前記椅子に装着されている時には、前記第１軸Ａｋおよび／または前記第２軸Ｂｋに巻かれていることを特徴とする椅子を提案する。
【００１０】
本発明は、前記椅子であって、前記第１軸Ａｋと前記第２軸Ｂｋとの間に架け渡されたシートＣｋは、前記第１軸Ａｋおよび前記第２軸Ｂｋが前記椅子から取り外されている時には、巻き解かれることを特徴とする椅子を提案する。
【００１１】
本発明は、前記椅子であって、前記第１軸および前記第２軸の端部には螺子溝が設けられてなり、前記左側枠部には前記第１軸および前記第２軸の左端部が挿入される孔が形成されてなり、前記右側枠部には前記第１軸および前記第２軸の右端部が挿入される孔が形成されてなり、前記孔に前記第１軸および前記第２軸の端部が、各々、挿入され、前記挿入された前記第１軸および前記第２軸の螺子溝に螺子が螺着され、前記第１軸および前記第２軸が前記左側枠部および前記右側枠部に取り付けられてなることを特徴とする椅子を提案する。
【００１２】
本発明は、前記椅子であって、前記第１軸および前記第２軸はパイプであることを特徴とする椅子を提案する。
【発明の効果】
【００１３】
非常時には、一脚の椅子から、３台以上の担架が、簡単に、提供される。
【図面の簡単な説明】
【００１４】
【図１】本発明の一実施形態になる椅子の斜視図
【図２】本発明の一実施形態になる椅子の縦断面図
【図３】本発明の一実施形態になる椅子の横断面図
【図４】本発明の椅子が分解されて提供される担架の斜視図
【図５】従来の椅子の説明図
【発明を実施するための形態】
【００１５】
本発明は椅子である。特に、地震や火災などの人命救助などの緊急時には、１脚の椅子から３台以上の担架を提供できる椅子である。本発明の実施形態が以下で説明される。前記椅子は、組立・分解が容易な椅子である。前記椅子は、ｎ（ｎは３以上の整数）本の第１軸Ａ１，Ａ２，…，Ａｎを具備する。前記椅子は、ｎ（ｎは３以上の整数）本の第２軸Ｂ１，Ｂ２，…，Ｂｎを具備する。前記椅子は、ｎ（ｎは３以上の整数）枚のシートＣ１，Ｃ２，…，Ｃｎを具備する。前記シートＣｋ（ｋは１〜ｎ）は、前記第１軸Ａｋ（ｋは１〜ｎ）と前記第２軸Ｂｋ（ｋは１〜ｎ）との間に架け渡されている。前記椅子は、前記第１軸Ａ１，Ａ２，…，Ａｎおよび前記第２軸Ｂ１，Ｂ２，…，Ｂｎの左端部が、各々、着脱可能に取り付けられる２ｎ個の取付部を有する左側枠部（例えば、左側面部（左側板部））を具備する。前記椅子は、前記第１軸Ａ１，Ａ２，…，Ａｎおよび前記第２軸Ｂ１，Ｂ２，…，Ｂｎの右端部が、各々、着脱可能に取り付けられる２ｎ個の取付部を有する右側枠部（例えば、右側面部（右側板部））を具備する。前記第１軸Ａ１，Ａ２，…，Ａｎおよび前記第２軸Ｂ１，Ｂ２，…，Ｂｎの左端部が前記左側枠部に取り付けられ、前記第１軸Ａ１，Ａ２，…，Ａｎおよび前記第２軸Ｂ１，Ｂ２，…，Ｂｎの右端部が前記右側枠部に取り付けられて、椅子が、構成される。
【００１６】
前記第１軸Ａｋと前記第２軸Ｂｋとの間に架け渡されたシートＣｋは、前記第１軸Ａｋおよび前記第２軸Ｂｋが前記椅子に装着されている時（組立時）には、好ましくは、前記第１軸Ａｋおよび／または前記第２軸Ｂｋに巻かれている。本発明では、シートが用いられたことから、前記シートは前記第１軸Ａｋおよび／または前記第２軸Ｂｋへの巻回が可能になった。これによって、前記第１軸Ａｋおよび前記第２軸Ｂｋの数を多く出来る。すなわち、一脚の椅子から数多くの担架が得られる。前記シートＣｋは、好ましくは、記第１軸Ａｋおよび前記第２軸Ｂｋが前記椅子から取り外されている時（分解時）には、好ましくは、巻き解かれる。これによって、担架となる。担架使用時において、人はシート上に乗せられる。硬い板上に乗せられるのでは無いから、運ばれる患者の感触は良い。
【００１７】
好ましくは、前記第１軸および前記第２軸の端部には螺子溝が設けられてなり、前記左側枠部には前記第１軸および前記第２軸の左端部が挿入される孔が形成されてなり、前記右側枠部には前記第１軸および前記第２軸の右端部が挿入される孔が形成されてなり、前記孔に前記第１軸および前記第２軸の端部が、各々、挿入され、前記挿入された前記第１軸および前記第２軸の螺子溝に螺子が螺着され、前記第１軸および前記第２軸が前記左側枠部および前記右側枠部に取り付けられてなる。これにより、椅子への組立、及び椅子からの分解が、極めて、簡単になる。
【００１８】
前記第１軸および前記第２軸は、好ましくは、パイプである。これにより、軽量化が図れる。
【００１９】
以下、より具体的な実施形態が挙げられる。但し、本発明は以下の実施形態のみに限定されない。本発明の特長が大きく損なわれない限り、各種の変形例や応用例も本発明に含まれる。
【００２０】
図１〜図４は本発明の一実施形態になる椅子の説明図である。図１は椅子の斜視図、図２は椅子のＸ−Ｘ線断面図、図３はＹ−Ｙ線断面図、図４は椅子が分解されて提供される担架の斜視図である。
【００２１】
１は右側板である。２は左側板である。長椅子の側板であることを考慮すると、側板１，２の厚さ（幅）は、例えば１０ｃｍ程度は有る。右側板１や左側板２は、各々、２枚の板が組み合わされた中空構造体であっても良い。右側板１や左側板２は、厚さ（幅）が１０ｃｍ程度も有ることから、右側板１や左側板２は肘掛用の袖部としての機能を奏する。その他、椅子としての一般的な構造を具備する。右側板１の所定位置には、孔が、形成されている。左側板２の所定位置には、孔が、形成されている。右側板１と左側板２とを合わせた場合、右側板１の孔と左側板２の孔とは合致する。前記孔の数は、後述の軸３，４の数と同じである。勿論、前記孔の数の方が多くても良い。
【００２２】
３は第１軸である。４は第２軸である。前記軸３，４は、本実施形態では、中空状のパイプである。長さは、例えば２ｍ程度である。勿論、これに限られないが、人の身長よりは長い。第１軸（パイプ）３及び第２軸（パイプ）４は、軽金属あるいは樹脂などの軽量素材で出来ている。勿論、パイプであるから、軽量である。前記パイプの形状は、断面円形である。尚、断面四角形であっても良い。但し、断面が非円形の場合でも、端部は円形である。前記軸（パイプ）３，４の数は、各々、例えば１０本である。勿論、これに限られない。２０本であっても良い。３０本であっても良い。前記軸３，４の端部の外周面には螺子溝（図示せず）が形成されている。
【００２３】
５は、第１軸３の端部（左端部および右端部）近傍の位置に形成された鍔である。６は、第２軸４の端部（左端部および右端部）近傍の位置に形成された鍔である。鍔５，６の外径は、前記板１，２に形成されている孔の内径より、大きい。
【００２４】
７はシートである。シート７は、例えば綿などの布製である。シート７の数は前記軸３（４）の数に等しい。シート７の幅は、シート７上に人を乗せることが可能な幅である。例えば、７０〜８０ｃｍである。シート７の一端側は第１軸３に取り付けられている。シート７の他端側は第２軸４に取り付けられている。従って、第１軸３と第２軸４とは、シート７を介して、繋がっている。シート７は第１軸３に巻かれている。シート７は、特に、第１軸３のみに巻回されている。椅子に座した時、人体は巻回シート７に、直接、触れる。シート巻回厚さが厚い方がクッション性に富む。従って、人体が接触する側に位置する第１軸３のみに、シート７は、巻かれたものとした。勿論、座した時に、人体が触れない個所に設けられている場合には、シート７は、その半分が第１軸３に巻かれており、残り半分が第２軸４に巻かれていても良い。強度上の観点から、第１軸３や第２軸４が設けられている個所にあっては、シート７は何れかにのみ巻回されなければならないと言う必然性は低い。前記巻回状態のシート７が巻き解かれると、第１軸３とシート７と第２軸４とで、一つの担架が、構成される（図４参照）。一つの椅子に、第１軸３及び第２軸４が、各々、２０本有るとすると、一つの椅子が分解されると、合計、２０個の担架が用意できることになる。
【００２５】
前記シート７が巻回状態の第１軸３及び第２軸４の右端部が、右側板１の孔に挿入される。前記シート７が巻回状態の第１軸３及び第２軸４の左端部が、左側板２の孔に挿入される。右側板１の孔から突出している第１軸３及び第２軸４の右端部の螺子溝には螺子８が螺着される。左側板２の孔から突出している第１軸３及び第２軸４の左端部の螺子溝には螺子９が螺着される。螺子８，９と鍔５，６によって、右側板１及び左側板２は挟持されているので、構造物は堅固である。右側板１及び左側板２に形成されている孔は、椅子の背板や座板に相当する個所に形成されている。従って、第１軸３及び第２軸４が右側板１及び左側板２の孔に挿入された場合、第１軸３及び第２軸４並びにシート７によって、背板や座板の機能が奏されるようになる。すなわち、第１軸３及び第２軸４が右側板１及び左側板２の孔に挿入された場合、これによって、椅子が構成される。
【００２６】
図中、１０は右側板１に形成された適宜な模様の切欠部である。１１は、左側板２に形成された適宜な模様の切欠部である。
【００２７】
上記構造の椅子に座った場合、人体はシート７に接触する。シート７は第１軸３に巻回されているから、適度なクッション性を持つ。従って、座した時の感触は良い。本実施形態の椅子にあっては、座板に相当する面は、シート７が巻回された第１軸３によって構成される。第１軸３の下側（後部側）に配置された第２軸４には、腰（背）が、直接、接することが無い。従って、シート７は第２軸４に巻回されていない。但し、第１軸３の下に第２軸４が設けられている構造によって、椅子としての機械的強度は確保されている。背板に相当する個所にあっても、第１軸３の後部側に第２軸４が配置されている。この個所にあっても、前部側の第１軸３にシート７は巻回されている。
【００２８】
緊急事態が起きて、多数の担架が必要な場合、螺子８，９が取り外される。椅子は、簡単に、分解される。椅子の分解が簡単と言うことは、逆に、組立も簡単と言うことである。椅子が分解されると、図４に示される担架が、数多く、提供される。本実施形態の場合であれば、一つの椅子から１０個の担架が提供される。従って、非常に、有効である。
【００２９】
上記実施形態にあっては、座板部に相当する個所において、第２軸４は第１軸３の下に設けられていた。しかし、第１軸３と第２軸４とは、前記実施形態の如く、上下位置ではなく、同じ高さ位置（前後位置）に設けられていても良い。但し、この場合、座板部における凹凸を少なくする為、シート７は、第１軸３と第２軸４とに等分に巻回される。又、背もたれ部においては、前記実施形態の如く、前後位置ではなく、上下位置に設けられていても良い。但し、この場合も、背もたれ部における凹凸を少なくする為、シート７は、第１軸３と第２軸４とに等分に巻回される。
【符号の説明】
【００３０】
１        右側板（右側枠部）
２        左側板（左側枠部）
３        第１軸
４        第２軸
５，６    鍔
７        シート
８，９    螺子
【図１】
2015033486.tif 000003
【図２】
2015033486.tif 000004
【図３】
2015033486.tif 000005
【図４】
2015033486.tif 000006
【図５】
2015033486.tif 000007